(57)【要約】【課題】短絡板の絶縁カバーを容易かつ確実に装着できるようにする。【解決手段】隣接配置された複数の制御機器の同極の端子同士を接続する短絡板において、く字状断面の筒状体からなり、く字曲げ部１０ａをヒンジにして両脚部１０ｂ,１０ｃが開閉するとともに、その先端に互いに係合する噛合い部１０ｄ,１０ｅを有する絶縁カバー１０を可撓性のある樹脂絶縁物から成形して設け、この絶縁カバー１０を短絡板４の導体５に幅方向から被せ、噛合い部１０ｄ,１０ｅを係合させて固定する。絶縁カバー１０を導体５に幅方向から被せるだけなので装着が簡単であり、また被せた絶縁カバー１０は噛合い部１０ｄ,１０ｅの係合で固定できるので、位置ずれしたり外れたりすることがない。【選択図】      図２
2005346930.tif 000002
【特許請求の範囲】
【請求項１】
隣接配置された複数の制御機器の同極の端子同士を接続する短絡板において、く字状断面の筒状体からなり、く字曲げ部をヒンジにして両脚部が開閉するとともに、この両脚部の先端に互いに係合する噛合い部を有する絶縁カバーを可撓性のある樹脂絶縁物から成形して設け、この絶縁カバーを前記短絡板の導体に幅方向から被せ、前記噛合い部を係合させて固定するようにしたことを特徴とする制御機器の短絡板。
【発明の詳細な説明】
【技術分野】
【０００１】
この発明は、表示灯や押ボタンスイッチ、端子台などの制御機器を密集取り付けする場合に、各制御機器の同極の端子同士を接続する短絡板に関する。
【背景技術】
【０００２】
上記短絡板の絶縁手段として、短絡板の導体に絶縁チューブを被せたり、特許文献１に記載されているように、断面Ｕ字状の絶縁カバーを嵌め込んだりする方法が知られている。図５は絶縁チューブで絶縁した短絡板を用いた制御機器（角形表示灯）の要部斜視図、図６は図５の短絡板部分の拡大断面図である。図５は４個の角形表示灯１が田の字状に密集取り付けされており、各表示灯１には２極の端子２（X1）及び３(X2)が設けられている。
【０００３】
図５において、左右に隣接する各２個の角形表示灯１は、一方の極の端子２同士が短絡板４で接続されている。短絡板４は両端の接続部が幅広の導体５に熱収縮チューブからなる絶縁チューブ６が被せられて構成されている。図６に示すように、短絡板４は導体５の両端幅広部が端子ねじ７に装着された座金８と端子２の端子板９との間に締め付けられ、導体５の中間の渡り部に絶縁チューブ６が被せられている。
【特許文献１】特開２００２−２６０７５２号公報（図３）
【発明の開示】
【発明が解決しようとする課題】
【０００４】
図５に示したように絶縁チューブを用いた短絡板は、熱収縮チューブからなる絶縁チューブに熱風などを当てて収縮させなければならないため、絶縁作業に手間がかかるという問題がある。また、両端接続部が幅広の導体においては、両端幅広部を通過させるために内径が必要以上に大きい絶縁チューブを用いる結果、図６に示すように熱収縮後も絶縁チューブが導体に密着せず、短絡板の占有スペースが大きくなってしまう。
【０００５】
一方、特許文献１に記載されたような断面Ｕ字状の絶縁カバーは、単に嵌め込まれているだけであるため、位置ずれにより充電部分が露出しやすく短絡や感電の危険が大きい。
【０００６】
この発明は、短絡板の絶縁カバーを容易かつ確実に装着できるようにすることを課題とするものである。
【課題を解決するための手段】
【０００７】
上記課題を解決するために、この発明は、隣接配置された複数の制御機器の同極の端子同士を接続する短絡板において、く字状断面の筒状体からなり、く字曲げ部をヒンジにして両脚部が開閉するとともに、この両脚部の先端に互いに係合する噛合い部を有する絶縁カバーを可撓性のある樹脂絶縁物から成形して設け、この絶縁カバーを前記短絡板の導体に幅方向から被せ、前記噛合い部を係合させて固定するようにするものである。
【発明の効果】
【０００８】
この発明によれば、絶縁カバーを短絡板に幅方向から被せるだけで絶縁が可能になるので、短絡板の絶縁作業が簡単になる。また、被せた絶縁カバーは噛合い部の係合で固定できるので、位置ずれしたり外れたりすることがなく安全である。
【発明を実施するための最良の形態】
【０００９】
以下、図１〜図４に基づいて、従来例と同様の角形表示灯におけるこの発明の実施の形態を説明する。ここで、図１は制御機器（角形表示灯）の要部斜視図、図２は図１の短絡板部分の拡大断面図、図３は絶縁カバーの断面図、図４は図１における短絡板の導体の斜視図である。なお、従来例と対応する部分には同一の符号を用いるものとする。図１は４個の角形表示灯１が田の字状に密集取り付けされた状態を示しており、各表示灯１には２極の端子２（X1）及び３(X2)が設けられている。図１において、上下左右に隣接する４個の角形表示灯１は、一方の極の端子２同士が短絡板４でコ字状に接続されている。
【００１０】
短絡板４は導体５に絶縁カバー１０が被せられて構成され、導体５は図４に示すように、コ字状に打ち抜かれた板材の両脚がＬ字状に屈曲されて門形に形成されている。絶縁カバー１０は、図３に示すようなく字状断面を持つ筒状体で、く字曲げ部１０ａをヒンジにして両脚部１０ｂ及び１０ｃが開閉するようになっている。絶縁カバー１０は両脚部１０ｂ,１０ｃの先端に、互いに係合するフック状の噛合い部１０ｄ,１０ｅを有しており、例えばＡＢＳ樹脂のような可撓性のある樹脂絶縁物から成形されている。絶縁カバー１０は導体５の胴部に幅方向から被せられ、噛合い部１０ｄ,１０ｅの係合により固定される。図２に示すように、短絡板４は導体５の両脚部が座金８と端子２の端子板９との間に、端子ねじ７により締め付けられる。
【００１１】
図示実施の形態において、絶縁カバー１０は、導体５に幅方向から被せることができるので、長手方向から被せる絶縁チューブに比べて装着が容易であり、また導体５の両端の形状に関係なく、図２に示すように密着させて装着でき場所をとることがない。更に、熱収縮チューブのように、被せた後に熱風などで加熱収縮させる必要がなく絶縁作業が簡単である。一方、絶縁カバー１０はく字曲げ部１０ａを支点に大きく開くことができるので、断面Ｕ字状の絶縁カバーを嵌め込む場合に比べて装着が容易であり、また装着後は噛合い部１０ｄ,１０ｅの係合により固定できるので、位置ずれや脱落の心配がなく絶縁が確実になる。なお、図示実施の形態では角形表示灯の例を示したが、この発明は複数の制御機器の端子を電源に共通接続するための短絡板一般に適用可能である。
【図面の簡単な説明】
【００１２】
【図１】この発明の実施の形態を示す制御機器の要部斜視図である。
【図２】図１の短絡板部分の拡大断面図である。
【図３】図１における絶縁カバーの断面図である。
【図４】図１における短絡板の導体の斜視図である。
【図５】従来例を示す制御機器の要部斜視図である。
【図６】図５の短絡板部分の拡大断面図である。
【符号の説明】
【００１３】
１    制御機器（角形表示灯）
２    端子
３    端子
４    短絡板
５    導体
１０    絶縁カバー
１０ａ  く字曲げ部
１０ｂ,１０ｃ  脚部
１０ｄ,１０ｅ  噛合い部
【図１】
2005346930.tif 000003
【図２】
2005346930.tif 000004
【図３】
2005346930.tif 000005
【図４】
2005346930.tif 000006
【図５】
2005346930.tif 000007
【図６】
2005346930.tif 000008